(57)【要約】【課題】パネル及びシェードを共に全開又は全閉する際の操作性の向上を企図したサンルーフ装置を提供する。【解決手段】パネル用及びシェード用の各操作スイッチは、中立位置から、操作対象を開動作させるオープン側と、操作対象を閉動作させるクローズ側とにそれぞれ操作可能とされ、操作する操作スイッチに対応する操作対象だけを、オープン側への短押し操作によりオート作動で開動作させると共に、クローズ側への短押し操作によりオート作動で閉動作させるよう構成し、パネル用及びシェード用の何れの操作スイッチによっても、オープン側への前記短押し操作と同じ操作位置における長押し操作によってパネルとシェードとを連動してオート作動で全開させると共に、クローズ側への前記短押し操作と同じ操作位置における長押し操作によってパネルとシェードとを連動してオート作動で全閉させるよう構成する。【選択図】図１
2014046836.tif 000002
【特許請求の範囲】
【請求項１】
車両（２）のルーフ（３）に形成されたルーフ開口（４）を開閉するパネル（６）と、このパネル（６）の下方に配置されていて車両（２）の室内開口（５）を開閉するシェード（８）と、パネル（６）を開閉操作するパネル用の操作スイッチ（ＰＳ）と、シェード（８）を開閉操作するシェード用の操作スイッチ（ＳＳ）とを備え、
前記パネル用及びシェード用の各操作スイッチ（ＰＳ，ＳＳ）は、中立位置（１１，１２）から、操作対象（６，８）を開動作させるオープン側（Ｘ）と、操作対象（６，８）を閉動作させるクローズ側（Ｙ）とにそれぞれ操作可能とされ、
操作する操作スイッチ（ＰＳ，ＳＳ）に対応する操作対象（６，８）だけを、オープン側（Ｘ）への短押し操作によりオート作動で開動作させると共に、クローズ側（Ｙ）への短押し操作によりオート作動で閉動作させるよう構成し、
パネル用及びシェード用の何れの操作スイッチ（ＰＳ，ＳＳ）によっても、オープン側（Ｘ）への前記短押し操作と同じ操作位置（１５，１９）における長押し操作によってパネル（６）とシェード（８）とを連動してオート作動で全開させると共に、クローズ側（Ｙ）への前記短押し操作と同じ操作位置（１７，２１）における長押し操作によってパネル（６）とシェード（８）とを連動してオート作動で全閉させるよう構成したことを特徴とするサンルーフ装置。
【請求項２】
前記パネル用及びシェード用の各操作スイッチ（ＰＳ，ＳＳ）は、オープン側（Ｘ）及びクローズ側（Ｙ）の各操作方向（Ａ，Ｂ）に２つの操作位置（１４〜２１）を有し、この２つの操作位置（１４〜２１）のうち、一つ目の操作位置（１４，１６，１８，２０）で、操作する操作スイッチ（ＰＳ，ＳＳ）に対応する操作対象（６，８）だけをマニュアル作動させ、二つ目の操作位置（１５，１７，１９，２１）で、前記短押し操作と前記長押し操作が行われることを特徴とする請求項１に記載のサンルーフ装置。
【請求項３】
パネル（６）は後部が前部回りに昇降するチルト動作可能とされ、パネル用の操作スイッチ（ＰＳ）はオープン側（Ｘ）とクローズ側（Ｙ）とにスライド操作により操作され且つ該パネル用の操作スイッチ（ＰＳ）はプッシュ操作可能とされ、パネル（６）及びシェード（８）の全閉状態からパネル用の操作スイッチ（ＰＳ）をプッシュ操作することによりシェード（８）が開くと共にパネル（６）がチルトアップし、このパネル（６）がチルトアップし且つシェード（８）が開いた状態からパネル用の操作スイッチ（ＰＳ）をプッシュ方向に短押し操作することによりパネル（６）のみがチルトダウンすることを特徴とする請求項１又は２に記載のサンルーフ装置。
【請求項４】
パネル（６）がチルトアップし且つシェード（８）が開いた状態からパネル用の操作スイッチ（ＰＳ）をプッシュ方向に長押し操作することによりパネル（６）がチルトダウンすると共にシェード（８）が閉動作することを特徴とする請求項３に記載のサンルーフ装置。
【請求項５】
パネル（６）は後部が前部回りに昇降するチルト動作可能とされ、パネル（６）及びシェード（８）の全閉状態からパネル用の操作スイッチ（ＰＳ）をクローズ側（Ｙ）に操作することによりシェード（８）が開くと共にパネル（６）がチルトアップすることを特徴とする請求項１又は２に記載のサンルーフ装置。
【請求項６】
パネル用の操作スイッチ（ＰＳ）はオープン側（Ｘ）の操作方向（Ａ）に２つの操作位置（１４，１５）を有していて、パネル（６）がチルトアップし且つシェード（８）が開いた状態からパネル用の操作スイッチ（ＰＳ）をオープン側（Ｘ）の一つ目の操作位置（１４）に操作することによりパネル（６）がマニュアル作動でチルトダウンし、パネル（６）がチルトアップし且つシェード（８）が開いた状態からパネル用の操作スイッチ（ＰＳ）をオープン側（Ｘ）の二つ目の操作位置（１５）に短押し操作することによりパネル（６）がオート作動で全閉状態までチルトダウンすることを特徴とする請求項５に記載のサンルーフ装置。
【発明の詳細な説明】
【技術分野】
【０００１】
本発明は、ルーフ開口を開閉するパネルを開閉操作するパネル用の操作スイッチと、室内開口を開閉するシェードを開閉操作するシェード用の操作スイッチとを備えたサンルーフ装置に関するものである。
【背景技術】
【０００２】
ルーフ開口を開閉するパネルをパネル用の操作スイッチによって開閉操作可能とし、室内開口を開閉するシェードをシェード用の操作スイッチによって開閉操作可能としたサンルーフ装置として、特許文献１に開示されたサンルーフ装置がある。
このサンルーフ装置にあっては、パネル用及びシェード用の各操作スイッチは、中立位置からオープン側と、該オープン側とは反対方向のクローズ側とにスライド操作可能であると共に、オープン側及びクローズ側の各操作方向において２つの操作位置が設けられている。
【０００３】
パネルの開閉操作は以下のようにして行われる。
パネル用の操作スイッチをオープン側の一つ目の操作位置にするとパネルをマニュアル作動で開動作でき、該操作スイッチをオープン側の二つ目の操作位置にするとパネルを所定位置までオート作動で開動作でき、該操作スイッチをクローズ側の一つ目の操作位置にするとパネルをマニュアル作動で閉動作でき、該操作スイッチをクローズ側の二つ目の操作位置にするとパネルを全閉位置までオート作動で閉動作できる。なお、パネル用の操作スイッチをオープン側の二つ目の操作位置にダブルクリックするとパネルを全開位置までオート作動で開動作できる。
【０００４】
シェードの開閉操作は以下のようにして行われる。
シェード用の操作スイッチをオープン側の一つ目の操作位置にするとシェードをマニュアル作動で開動作でき、該操作スイッチをオープン側の二つ目の操作位置にするとシェードを全開位置までオート作動で開動作でき、該操作スイッチをクローズ側の一つ目の操作位置にするとシェードをマニュアル作動で閉動作でき、該操作スイッチをクローズ側の二つ目の操作位置にするとシェードを全閉位置までオート作動で閉動作できる。
【０００５】
また、パネル及びシェードが全閉状態以外の状態のときにおいて、シェード用の操作スイッチをクローズ側に操作した場合は、シェードに連動してパネルが閉動作し、シェードが全閉となったときにパネルも全閉となる。
【先行技術文献】
【特許文献】
【０００６】
【特許文献１】特開２０１１−１１７３５号公報
【発明の概要】
【発明が解決しようとする課題】
【０００７】
前記従来のサンルーフ装置にあっては、パネル及びシェードを共に全開するには、パネル用の操作スイッチ又はシェード用の操作スイッチの一方を操作してパネル又はシェードの一方を全開させると共に、パネル用の操作スイッチ又はシェード用の操作スイッチの他方を操作してパネル又はシェードの他方を全開させるが、両方の操作スイッチを操作しなければならず、パネル及びシェードを全開させる際における操作性がわるいものである。
【０００８】
また、パネル及びシェードを全閉する際には、シェード用の操作スイッチのみによって行えるが、このパネル及びシェードを全閉する際において、先にパネルを全閉させた場合には、後からシェード用の操作スイッチを操作してシェードを全閉しなければならず、パネル及びシェードを全閉するのに複数の異なる操作があり、操作性がわるいものである。
そこで、本発明は、前記問題点に鑑み、パネルを開閉操作するパネル用の操作スイッチとシェードを開閉操作するシェード用の操作スイッチとを備えたサンルーフ装置において、パネル及びシェードを共に全開又は全閉する際の操作性の向上を企図したサンルーフ装置を提供することを課題とする。
【課題を解決するための手段】
【０００９】
前記技術的課題を解決するために本発明が講じた技術的手段は、以下に示す点を特徴とする。
請求項１に係る発明では、車両のルーフに形成されたルーフ開口を開閉するパネルと、このパネルの下方に配置されていて車両の室内開口を開閉するシェードと、パネルを開閉操作するパネル用の操作スイッチと、シェードを開閉操作するシェード用の操作スイッチとを備え、
前記パネル用及びシェード用の各操作スイッチは、中立位置から、操作対象を開動作させるオープン側と、操作対象を閉動作させるクローズ側とにそれぞれ操作可能とされ、
操作する操作スイッチに対応する操作対象だけを、オープン側への短押し操作によりオート作動で開動作させると共に、クローズ側への短押し操作によりオート作動で閉動作させるよう構成し、
パネル用及びシェード用の何れの操作スイッチによっても、オープン側への前記短押し操作と同じ操作位置における長押し操作によってパネルとシェードとを連動してオート作動で全開させると共に、クローズ側への前記短押し操作と同じ操作位置における長押し操作によってパネルとシェードとを連動してオート作動で全閉させるよう構成したことを特徴とする。
【００１０】
請求項２に係る発明では、前記パネル用及びシェード用の各操作スイッチは、オープン側及びクローズ側の各操作方向に２つの操作位置を有し、この２つの操作位置のうち、一つ目の操作位置で、操作する操作スイッチに対応する操作対象だけをマニュアル作動させ、二つ目の操作位置で、前記短押し操作と前記長押し操作とが行われることを特徴とする。
【００１１】
請求項３に係る発明では、パネルは後部が前部回りに昇降するチルト動作可能とされ、パネル用の操作スイッチはオープン側とクローズ側とにスライド操作により操作され且つ該パネル用の操作スイッチはプッシュ操作可能とされ、パネル及びシェードの全閉状態からパネル用の操作スイッチをプッシュ操作することによりシェードが開くと共にパネルがチルトアップし、このパネルがチルトアップし且つシェードが開いた状態からパネル用の操作スイッチをプッシュ方向に短押し操作することによりパネルのみがチルトダウンすることを特徴とする。
【００１２】
請求項４に係る発明では、パネルがチルトアップし且つシェードが開いた状態からパネル用の操作スイッチをプッシュ方向に長押し操作することによりパネルがチルトダウンすると共にシェードが閉動作することを特徴とする。
請求項５に係る発明では、パネルは後部が前部回りに昇降するチルト動作可能とされ、パネル及びシェードの全閉状態からパネル用の操作スイッチをクローズ側に操作することによりシェードが開くと共にパネルがチルトアップすることを特徴とする。
【００１３】
請求項６に係る発明では、パネル用の操作スイッチはオープン側の操作方向に２つの操作位置を有していて、パネルがチルトアップし且つシェードが開いた状態からパネル用の操作スイッチをオープン側の一つ目の操作位置に操作することによりパネルがマニュアル作動でチルトダウンし、パネルがチルトアップし且つシェードが開いた状態からパネル用の操作スイッチをオープン側の二つ目の操作位置に短押し操作することによりパネルがオート作動で全閉状態までチルトダウンすることを特徴とする。
【発明の効果】
【００１４】
本発明によれば、以下の効果を奏する。
パネル用及びシェード用の何れの操作スイッチによっても、パネルとシェードとを連動してオート作動で全開又は全閉させることができるようにしたので、操作性が向上する。
また、パネル用及びシェード用の何れの操作スイッチによっても、オープン側への長押し操作によってパネルとシェードとを連動してオート作動で全開させ、且つクローズ側への長押し操作によってパネルとシェードとを連動してオート作動で全閉させるようにしたので、すなわち、パネル用の操作スイッチとシェード用の操作スイッチの同じ操作によって、パネルとシェードを全開又は全閉させるようにしたので、パネルとシェードとを全開又は全閉させる際におけるスイッチ操作が煩わしくなく、操作性が向上する。
【００１５】
さらに、パネルとシェードとを対応する操作スイッチによってそれぞれオート作動で開閉させる機能と、パネルとシェードを連動してオート作動で全開又は全閉させる機能とを設けるにあたり、操作される操作スイッチに対応する操作対象だけを操作スイッチの短押し操作によりオート作動させ、各操作スイッチの短押し操作と同じ操作位置における長押し操作によってパネルとシェードを連動してオート作動で全開又は全閉させるようにしているので、すなわち、同じ操作位置での短押し操作か長押し操作かによって、パネルとシェードとを、個別にオート作動で開閉動作させるか、連動してオート作動で全開又は全閉させるかを選択できるようにしているので、スイッチ操作が煩わしくなく、スイッチ操作の単純化を図ることができ、操作性が向上する。
【図面の簡単な説明】
【００１６】
【図１】第１実施形態に係るサンルーフ装置の平面図である。
【図２】第１実施形態に係るサンルーフ装置の側面動作説明図である。
【図３】第１実施形態に係るサンルーフ装置の側面動作説明図である。
【図４】第１実施形態に係る操作スイッチの正面図である。
【図５】第１実施形態のパネル及びシェードの動作を示す表である。
【図６】第１実施形態のパネル及びシェードの動作を示す表である。
【図７】第２実施形態に係るサンルーフ装置の側面動作説明図である。
【図８】第２実施形態のパネル及びシェードの動作を示す表である。
【発明を実施するための形態】
【００１７】
以下、本発明の実施の形態を図面を参照して説明する。
図１〜図６は第１実施形態を示し、図１はサンルーフ装置１を備えた車両２の平面図を示し、図２及び図３はサンルーフ装置１を備えた車両２の側面断面概略図を示している。
本実施形態において、前後・左右・上下は運転席に着座した運転者から見た方向に従う。また、左右方向内方とは車両２の左右方向の端部から左右方向中央部に向かう方向をいい、左右方向外方とは車両２の左右方向中央部から左右方向の端部に向かう方向をいう。したがって、車両２の左右方向の側部に設けられている部材において、左右方向内側とは車両２の左右方向中央側をいい、左右方向外側とは車両２の左右方向中央側とは反対側をいう。
【００１８】
図１〜図３に示すように、車両２のルーフ３の前部側には矩形状のルーフ開口４が形成され、このルーフ開口４の下方側には、車両２の室内天井部に形成された室内開口５が設けられている。
サンルーフ装置１は、ルーフ開口４を開閉自在に閉鎖するパネル６と、車両２の室内天井部に形成された室内開口５を下側から開閉自在に覆うシェード８とを有する。
【００１９】
パネル６は、本実施形態では、ルーフ開口４の前部を開閉自在に閉鎖する前側のパネル６Ａ（フロントパネルという）と、ルーフ開口４の後部を開閉自在に閉鎖する後側のパネル６Ｂ（リヤパネルという）とからなる。
フロントパネル６Ａ及びリヤパネル６Ｂは透光性を有する。
フロントパネル６Ａ及びリヤパネル６Ｂは図示省略のパネル駆動機構によって駆動（チルト及び開閉動作）され、パネル駆動機構は電動モータからなるパネルモータＭ１によって駆動される。また、シェード８は図示省略のシェード駆動機構によって駆動（開閉動作）され、シェード８駆動機構は電動モータからなるシェードモータＭ２によって駆動される。
【００２０】
フロントパネル６Ａは、図３に示すように、ルーフ開口４の前部にて（ルーフ開口４の前部を塞ぐ位置にて）後部が前部回りに昇降するチルト動作可能であると共に、フルチルトアップした状態で前後方向に移動してルーフ開口４を開閉する。
リヤパネル６Ｂは、図３に示すように、ルーフ開口４の後部にて（ルーフ開口４の後部を塞ぐ位置にて）全体的に昇降するリフト動作可能であると共に、リフトダウンした状態で前後方向に移動してルーフ開口４を開閉する。
【００２１】
図２（ａ）は、ルーフ開口４の前部をフロントパネル６Ａで閉鎖し且つルーフ開口４の後部をリヤパネル６Ｂで閉鎖した状態であるパネル全閉状態を示す。
このパネル全閉状態からルーフ開口４を開口する場合は、以下のようにして行われる。
パネル全閉状態から、図３（ａ）に実線で示すように、先ず、フロントパネル６Ａがチルトアップする。このチルトアップ動作中にはリヤパネル６Ｂは動かない。
【００２２】
次に、フロントパネル６Ａがフルチルトアップした状態で後方移動して、図３（ａ）に仮想線で示すように、該フロントパネル６Ａがリヤパネル６Ｂの上方にオーバーラップし、ルーフ開口４の前部が開口（ルーフ開口４が半開）する。このフロントパネル６Ａの後方移動中にもリヤパネル６Ｂは動かない。
次に、図３（ａ）に仮想線で示すように、リヤパネル６Ｂがリフトダウンし、このリヤパネル６Ｂがリフトダウンした状態でフロントパネル６Ａとリヤパネル６Ｂとが連動して一緒に後方移動し、図３（ｂ）に示すように、フロントパネル６Ａがルーフ３の後部上方にオーバーラップすると共にリヤパネル６Ｂがルーフ３の後部下方に収納され、ルーフ開口４を全開するパネル全開状態となる。
【００２３】
このパネル全開状態からルーフ開口４を閉鎖する場合は、前記とは逆の動作で行われる。
シェード８は、パネル６を透過した光を遮るものであって、本実施形態では、布等のような巻き取り自在な柔軟な部材によって構成され、ルーフ３の後部下方に設けられた巻取り軸９に、巻き取り・巻き出し自在とされている。
【００２４】
図２（ａ）に示すように、シェード８が巻取り軸９から巻き出されると、室内開口５を塞ぐシェード全閉状態となる。図２（ｂ）に示すように、シェード８が巻取り軸９に巻き取られていくと、シェード８の室内開口５を覆っていた部分が後方に移動し、室内開口５を開口するシェード全開状態（図２（ｂ）実線状態）となる。
また、サンルーフ装置１は、図１に示すように、パネルモータＭ１及びシェードモータＭ２を制御する制御装置ＣＵを有すると共に、基本的にパネル６を操作するパネル用の操作スイッチＰＳ（以下、単にパネルスイッチともいう）と、基本的にシェード８を操作するシェード用の操作スイッチＳＳ（以下、単にシェードスイッチともいう）とを有する。
【００２５】
したがって、パネルスイッチＰＳの操作対象は基本的にはパネル６であり、シェードスイッチＳＳの操作対象は基本的にはシェード８である。
パネルスイッチＰＳ及びシェードスイッチＳＳは制御装置ＣＵに接続されていて、これら操作スイッチＰＳ，ＳＳからの操作信号が制御装置ＣＵに入力され、この操作信号に基づいてパネルモータＭ１及びシェードモータＭ２が制御される。パネルスイッチＰＳ及びシェードスイッチＳＳは車両２の運転席の周辺に左右方向に並べて設けられる。
【００２６】
パネルスイッチＰＳ及びシェードスイッチＳＳは、図４に実線で示す中立位置１１,１２からオープン側Ｘと、該オープン側Ｘとは反対方向のクローズ側Ｙとにそれぞれスライド操作可能とされている。パネルスイッチＰＳは中立位置１１でプッシュ操作可能とされており、シェードスイッチＳＳにはプッシュ操作機能は設けられていない。
本実施形態では、パネルスイッチＰＳ及びシェードスイッチＳＳのオープン側Ｘへの操作方向Ａが後方へのスライド方向とされ、操作スイッチＳのクローズ側Ｙへの操作方向Ｂが前方へのスライド方向とされている。
【００２７】
また、パネルスイッチＰＳにあっては、パネルスイッチＰＳのオープン側Ｘへのスライド操作によってパネル６が開動作し（チルトアップ動作を含む）、パネルスイッチＰＳのクローズ側Ｙへのスライド操作によってパネル６が閉動作する（チルトダウン動作を含む）。また、パネルスイッチＰＳのプッシュ操作によってパネル６（フロントパネル６Ａ）がチルト動作のみすると共にシェード８が開閉動作する。
【００２８】
また、シェードスイッチＳＳにあっては、シェードスイッチＳＳのオープン側Ｘへのスライド操作によってシェード８が開動作し、シェードスイッチＳのクローズ側Ｙへのスライド操作によってシェード８が閉動作する。
パネルスイッチＰＳは、スライド操作又はプッシュ操作した位置から該パネルスイッチＰＳに対する操作力を解除すると（パネルスイッチＰＳから指を離すと）、中立位置１１に復帰する。
【００２９】
シェードスイッチＳＳにあっても、スライド操作した位置から該シェードスイッチＳＳ
に対する操作力を解除すると（パネルスイッチＰＳから指を離すと）、中立位置１１に復帰する。
また、パネルスイッチＰＳ及びシェードスイッチＳＳは、図４に仮想線で示すように、オープン側Ｘとクローズ側Ｙのそれぞれの操作方向Ａ，Ｂに２つの操作位置１４〜２０を有する。
【００３０】
以下の説明において、「マニュアル作動」とは、操作スイッチＰＳ，ＳＳを所定の操作位置１４，１６，１８，２０に保持している間（運転者等が操作スイッチＰＳ，ＳＳを指で所定の操作位置１４，１６，１８，２０にしている間）は操作対象（パネル６、シェード８）が動作し且つ操作スイッチＰＳ，ＳＳに対する操作力を解除すると操作対象６，８の動作が止まることをいう。
【００３１】
また、「オート作動」とは、操作スイッチＰＳ，ＳＳを所定の操作位置１５，１７，１９，２１にした後、該操作スイッチＰＳ，ＳＳから操作力を解除しても（運転者等が操作スイッチＰＳ，ＳＳから指を離しても）操作対象（パネル６、シェード８）が自動で所定の位置まで（目的の位置まで）動作することをいう。
また、「短押し操作」とは、操作スイッチＰＳ，ＳＳを所定の操作位置１５，１７，１９，２１にスライド操作し或いは操作スイッチＰＳをプッシュ操作し、且つ短時間（例えば、１秒未満）で操作力を解除する（中立位置１１に戻す）ことをいう。
【００３２】
また、「長押し操作」とは、操作スイッチＰＳ，ＳＳを所定の操作位置１５，１７，１９，２１にスライド操作し或いは操作スイッチＰＳをプッシュ操作し、且つ短押し操作で設定した時間以上（前述した例で言うと、１秒以上）、操作スイッチＰＳ，ＳＳを該操作状態に保持させておくことをいう。
本実施形態では、操作スイッチＰＳ，ＳＳを一つ目の操作位置１４，１６，１８，２０を越えてスライド操作するときにクリック感があり、操作スイッチＰＳ，ＳＳは二つ目の操作位置１５，１７，１９，２１で操作方向Ａ，Ｂへの移動が止まるように構成されている。
【００３３】
以下、操作スイッチＰＳ，ＳＳのオープン側Ｘへの一つ目の操作位置１４，１８をマニュアル開操作位置といい、オープン側Ｘへの二つ目の操作位置１５，１９をオート開操作位置といい、クローズ側Ｙへの一つ目の操作位置１６，２０をマニュアル閉操作位置といい、クローズ側Ｙへの二つ目の操作位置１７，２１をオート閉操作位置という。
次に、図５（ａ）を参照してパネルスイッチＰＳのスライド操作によるサンルーフ装置１の動作について説明する。
【００３４】
パネルスイッチＰＳをマニュアル開操作位置１４に操作すると（オープン側Ｘに一段目スライド操作すると）パネル６がマニュアル作動で開動作し、マニュアル閉操作位置１６に操作すると（クローズ側Ｙに一段目スライド操作すると）パネル６がマニュアル作動で閉動作する。このとき、シェード８は作動しない。
本実施形態のサンルーフ装置１は、フロントパネル６Ａがフルチルトアップ位置までチルトアップし、このフロントパネル６Ａがフルチルトアップした状態で該フロントパネル６Ａが前後方向に移動するタイプのサンルーフ装置１であるので、パネル６が全閉した状態で、パネルスイッチＰＳをマニュアル開操作位置１４に操作することにより、フロントパネル６Ａをマニュアル作動でチルトアップさせることができる。また、フロントパネル６Ａがチルトアップした状態でパネルスイッチＰＳをマニュアル閉操作位置１６に操作することにより、フロントパネル６Ａをマニュアル作動でチルトダウンさせることができる。したがって、所望のチルト位置でフロントパネル６Ａを止めることができる。
【００３５】
また、パネルスイッチＰＳをオート開操作位置１５に短押し操作すると（オープン側Ｘに二段目スライド短押し操作すると）、パネル６が全閉状態又は中途位置（全閉状態と全開状態との間の位置）で止まった状態からオート作動で全開状態まで開動作し、オート閉操作位置１７に短押し操作すると（クローズ側Ｙに二段目スライド短押し操作すると）、パネル６が全開状態又は中途位置で止まった状態からオート作動で全閉状態まで閉動作する。このときも、シェード８は作動しない。
【００３６】
なお、パネル６がオート作動で開動作している途中でパネルスイッチＰＳをオート開操
作位置１５に短押し操作するとパネル６の開動作が停止し、パネル６がオート作動で閉動作している途中でパネルスイッチＰＳをオート閉操作位置１７に短押し操作するとパネル６の閉動作が停止するようにしてもよい。
また、パネルスイッチＰＳをオート開操作位置１５に長押し操作すると（オープン側Ｘに二段目スライド長押し操作すると）、パネル６とシェード８とが、何れの状態（全閉状態又は中途位置で止まった状態）であっても、連動してそれぞれ全開状態まで開動作する。このとき、パネル６とシェード８とが同時に開動作するようにしてもよいし、パネル６が先行し、シェード８が後行して開動作するようにしてもよい。また、パネル６又はシェード８の一方が全開していても、他方が全開状態まで開動作する。
【００３７】
また、パネルスイッチＰＳをオート閉操作位置１７に長押し操作すると（クローズ側Ｙに二段目スライド長押し操作すると）、パネル６とシェード８とが、何れの状態（全開状態又は中途位置で止まった状態）であっても、連動してそれぞれ全閉状態まで閉動作する。このとき、パネル６とシェード８とが同時に閉動作するようにしてもよいし、パネル６が先行し、シェード８が後行して閉動作するようにしてもよい。また、パネル６又はシェード８の一方が全閉していても、他方が全閉状態まで閉動作する。
【００３８】
次に、図５（ｂ）を参照してシェードスイッチＳＳのスライド操作によるサンルーフ装置１の動作について説明する。
シェードスイッチＳＳをマニュアル開操作位置１８に操作すると（オープン側Ｘに一段目スライド操作すると）シェード８がマニュアル作動で開動作し、マニュアル閉操作位置２０に操作すると（クローズ側Ｙに一段目スライド操作すると）シェード８がマニュアル作動で閉動作する。このとき、パネル６は作動しない。
【００３９】
また、シェードスイッチＳＳをオート開操作位置１９に短押し操作すると（オープン側Ｘに二段目スライド短押し操作すると）、シェード８が全閉状態又は中途位置（全閉状態と全開状態との間の位置）で止まった状態からオート作動で全開状態まで開動作し、オート閉操作位置２１に短押し操作すると（クローズ側Ｙに二段目スライド短押し操作すると）、パネル６が全開状態又は中途位置で止まった状態からオート作動で全閉状態まで閉動作する。このときも、パネル６は作動しない。
【００４０】
なお、シェード８がオート作動で開動作している途中でシェードスイッチＳＳをオート開操作位置１９に短押し操作するとシェード８の開動作が停止し、シェード８がオート作動で閉動作している途中でシェードスイッチＳＳをオート閉操作位置２１に短押し操作するとシェード８の閉動作が停止するようにしてもよい。
また、シェードスイッチＳＳをオート開操作位置１９に長押し操作すると（オープン側Ｘに二段目スライド長押し操作すると）、パネル６とシェード８とが、何れの状態（全閉状態又は中途位置で止まった状態）であっても、連動してそれぞれ全開状態まで開動作する。このとき、パネル６とシェード８とが同時に開動作するようにしてもよいし、シェード８が先行し、パネル６が後行して開動作するようにしてもよい。また、パネル６又はシェード８の一方が全開していても、他方が全開状態まで開動作する。
【００４１】
また、シェードスイッチＳＳをオート閉操作位置２１に長押し操作すると（クローズ側Ｙに二段目スライド長押し操作すると）、パネル６とシェード８とが、何れの状態（全開状態又は中途位置で止まった状態）であっても、連動してそれぞれ全閉状態まで閉動作する。このとき、パネル６とシェード８とが同時に閉動作するようにしてもよいし、シェード８が先行し、パネル６が後行して閉動作するようにしてもよい。また、パネル６又はシェード８の一方が全閉していても、他方が全閉状態まで閉動作する。
【００４２】
次に、図６を参照してパネルスイッチＰＳのプッシュ操作によるサンルーフ装置１の動作について説明する。
パネル６及びシェード８が全閉状態である状態からパネルスイッチＰＳをプッシュ操作によって短押し操作又は長押し操作すると、パネル６（第１実施形態のサンルーフ装置１にあってはフロントパネル６Ａ）がオート作動でフルチルトアップ位置までチルトアップすると共にシェード８がオート作動で半開（又は全開）する。
【００４３】
フロントパネル６Ａがフルチルトアップし、シェード８が半開（又は全開）した状態か
らパネルスイッチＰＳをプッシュ操作によって短押し操作すると、シェード８が半開（又は全開）した状態でフロントパネル６Ａのみがオート作動でチルトダウンしパネル全閉状態となる。この状態からパネルスイッチＰＳをプッシュ操作によって短押し操作すると、フロントパネル６Ａがオート作動でフルチルトアップ位置までチルトアップする（パネルスイッチＰＳのプッシュ操作による短押し操作を繰り返すことにより、チルトアップとチルトダウンとを繰り返し行うことができる）。
【００４４】
シェード８を閉めるときには、シェードスイッチＳＳのクローズ側へのスライド操作によって行う。
また、フロントパネル６Ａがフルチルトアップし、シェード８が半開（又は全開）した状態からパネルスイッチＰＳをプッシュ操作によって長押し操作すると、フロントパネル６Ａがオート作動でチルトダウンしてパネル全閉状態となると共にシェード８がオート作動で全閉する。
【００４５】
なお、パネル６及びシェード８が全閉状態である状態からパネルスイッチＰＳをプッシュ操作によって短押し操作すると、先ず、シェード８が開き、該シェード８が開いた状態でパネルスイッチＰＳをプッシュ操作によって短押し操作すると、パネル６がチルトアップするようにしてもよい。この場合、その他のプッシュ操作による動作は前記と同様である。
【００４６】
また、前記実施形態のものにあっては、パネル６とシェード８とを別個の操作スイッチＰＳ，ＳＳによって操作できるので、パネル６が開いていてもシェード８を全閉させることができるが、これはシェード８として通気性のあるメッシュ製のシェード８を採用した場合に必要な状態である。しかしながら、シェード８として通気性のない遮光性のあるシェード８を採用した場合は、閉め忘れの観点から、パネル６が開いていてシェードスイッチＳＳによってシェード８を全閉させたときには、常に、パネル６が全閉状態まで閉動作するようにパネル６を連動させるのがよい。
【００４７】
図７は、第２実施形態のサンルーフ装置１を示す。
このサンルーフ装置１は、ルーフ開口４を１枚のパネル６で開閉するタイプのサンルーフ装置１である。また、パネル６は、ルーフ開口４を塞ぐ位置にて、図６に仮想線Ｄ１で示すように、チルトアップするが、ルーフ開口４を開ける場合は、パネル６は、図６に仮想線Ｄ２で示すように、リフトダウンした後に後方移動して、図６に仮想線Ｄ３で示すように、ルーフ３の後部下方に収納される。
【００４８】
パネル６が全開した状態から全閉状態となるのは、前記動作と逆の動作で行われる。
シェード８については前述した第１実施形態と同様である。
また、この第２実施形態にあっては、パネルスイッチＰＳも、プッシュ操作不能とされている点が、前記第１実施形態の操作スイッチＰＳ，ＳＳと異なるだけであるので、操作スイッチＰＳ，ＳＳの図示を省略する。その他、図示を省略した点は、前記第１実施形態と同様に構成される。
【００４９】
前記第１実施形態において図５を参照して説明した「パネルスイッチＰＳ及びシェードスイッチＳＳによるパネル６及びシェード８の動作」は、本第２実施形態においても同様であるので、説明を省略する。
この第２実施形態にあっては、パネル６のチルト動作もパネルスイッチＰＳのスライド操作によって行われ、構造の簡素化が図られている。
【００５０】
このパネル６のチルト動作を、図８を参照して説明する。
パネル６及びシェード８が全閉状態である状態から、パネルスイッチＰＳをオート閉操作位置１７に短押し操作又は長押し操作する（クローズ側Ｙに二段目スライド操作する）と、パネル６がオート作動でフルチルトアップ位置までチルトアップすると共にシェード８がオート作動で半開（又は全開）する。
【００５１】
パネル６がフルチルトアップし、シェード８が半開（又は全開）した状態から、パネルスイッチＰＳをマニュアル開操作位置１４に操作する（オープン側Ｘに一段目スライド操作する）と、シェード８が半開（又は全開）した状態でパネル６がマニュアル作動でチルトダウンする。
また、パネル６がチルトアップし、シェード８が半開（又は全開）した状態から、パネルスイッチＰＳをオート開操作位置１５に短押し操作する（オープン側Ｘに二段目スライド短押し操作する）と、シェード８が半開（又は全開）した状態でパネル６がオート作動で全閉状態までチルトダウンする。
【００５２】
再び、チルトアップする場合は、パネルスイッチＰＳをオート閉操作位置１７に短押し又は長押し操作する。
パネル６をマニュアル作動又はオート作動でチルトダウンさせてパネル６を全閉した状態で、シェード８を閉める場合は、シェードスイッチＳＳのクローズ側Ｙへの操作によって行う。
【００５３】
また、パネル６がチルトアップし、シェード８が半開（又は全開）した状態から、シェードスイッチＳＳをオート開操作位置１９に長押し操作すると、シェード８がオート作動で全開する（シェード８が全開している場合は、そのまま）と共に、パネル６が全閉状態までチルトダウンした後、全開状態までオート作動で開動作する。
なお、パネル６がチルトアップし、シェード８が半開（又は全開）した状態から、パネルスイッチＳをオート開操作位置１５に長押し操作する（オープン側Ｘに二段目スライド長押し操作する）と、パネル６がオート作動で全閉状態までチルトダウンした後、全開状態までオート作動で開動作すると共に、シェード８がオート作動で全開するようにしてもよい。
【００５４】
前記各実施形態のサンルーフ装置１にあっては、パネル用及びシェード用の何れの操作スイッチＰＳ，ＳＳによっても、パネル６とシェード８とが連動して全開又は全閉させることができるので、パネル６及びシェード８を全開又は全閉させる際におけるスイッチ操作が煩わしくなく、操作性が向上する。
また、パネル用及びシェード用のいずれの操作スイッチＰＳ，ＳＳのオート開操作位置１５，１９での長押し操作によってもパネル６とシェード８とが全開し、パネル用及びシェード用のいずれの操作スイッチＰＳ，ＳＳのオート閉操作位置１７，２１での長押し操作によってもパネル６とシェード８とが全閉するというように、パネルスイッチＰＳ及びシェードスイッチＳＳの同じ操作によって、パネル６とシェード８を全開又は全閉させるようにしたので、パネル６とシェード８とを全開又は全閉させる際におけるスイッチ操作が煩わしくなく、操作性が向上する。
【００５５】
さらに、パネルスイッチＰＳによってパネル６を、シェードスイッチＳＳによってシェード８を、それぞれオート作動で開閉させる機能と、パネル用及びシェード用のいずれの操作スイッチＰＳ，ＳＳによってもパネル６とシェード８を連動してオート作動で全開又は全閉させる機能とを設けるにあたり、各操作スイッチＰＳ，ＳＳの二つ目の操作位置１５，１７，１９，２１での短押し操作によって対応する操作対象６，８を作動させ、各操作スイッチＰＳ，ＳＳの二つ目の操作位置１５，１７，１９，２１での長押し操作によってパネル６とシェード８を連動して全開又は全閉させるようにしているので、すなわち、同じ操作位置１５，１７，１９，２１での短押し操作か長押し操作かによって、パネル６とシェード８とを、個別にオート作動で開閉動作させるか、連動してオート作動で全開又は全閉させるかを選択できるようにしているので、スイッチ操作が煩わしくなく、スイッチ操作の単純化を図ることができ、操作性が向上する。
【００５６】
前記シェード８は本実施形態では、ロールシェードタイプのシェード８を例示したが、これに限定されることはなく、ボードタイプのシェードを採用してもよい。
前記第１実施形態において、図７に示すタイプのサンルーフ装置１を採用してもよく、また、第２実施形態において図１〜図３に示すタイプのサンルーフ装置１を採用してもよく、また、各実施形態において、ルーフ開口４を１枚のパネル６で開閉するものであって、パネル６をチルトアップさせた状態で前後方向に移動させるスポイラータイプのサンルーフ装置を採用してもよい。
【符号の説明】
【００５７】
２    車両
３    ルーフ
４    ルーフ開口
５    室内開口
６    パネル（パネル用の操作スイッチで操作される操作対象）
８    シェード（シェード用の操作スイッチで操作される操作対象）
１１    中立位置
１２    中立位置
１４    オープン側への一つ目の操作位置
１５    オープン側への二つ目の操作位置
１６    クローズ側への一つ目の操作位置
１７    クローズ側への二つ目の操作位置
１８    オープン側への一つ目の操作位置
１９    オープン側への二つ目の操作位置
２０    クローズ側への一つ目の操作位置
２１    クローズ側への二つ目の操作位置
Ａ    オープン側への操作方向
Ｂ    クローズ側への操作方向
ＰＳ  パネル用の操作スイッチ
ＳＳ  シェード用の操作スイッチ
Ｘ    オープン側
Ｙ    クローズ側
【図１】
2014046836.tif 000003
【図２】
2014046836.tif 000004
【図３】
2014046836.tif 000005
【図４】
2014046836.tif 000006
【図５】
2014046836.tif 000007
【図６】
2014046836.tif 000008
【図７】
2014046836.tif 000009
【図８】
2014046836.tif 000010